(57)【要約】  【課題】撮影モードおよび投影モードの切替え操作が簡単なプロジェクタ付き電子カメラを提供する。  【解決手段】モード切替ダイヤル１５に投影モードを示すマーク１５５を含め、再生画像をプロジェクタ投射窓１３（図１）からスクリーンなどに向けて投影する投影モードへの切替え、再生画像を液晶表示器１７（図２）に表示する再生モードへの切替え、および他の撮影モードなどへの切替えをモード切替ダイヤル１５の回転操作のみで行う。モード切替ダイヤル１５に記すマークは、撮影系（マーク１５１〜マーク１５３）と再生系（マーク１５４およびマーク１５５）とに分類する。  【選択図】図３
2006191425.tif 000002
【特許請求の範囲】
【請求項１】
被写体像を撮影し、撮影した画像データを記録媒体に保存する撮影動作モードと、
撮影済みの画像データを記録媒体から読出し、当該画像データによる再生画像を投影手段に投影させる投影動作モードとを有し、
少なくとも前記２つの動作モードを１つのモード切替え操作部材の操作位置に応じて切替えることを特徴とするプロジェクタ付き電子カメラ。
【請求項２】
請求項１に記載のプロジェクタ付き電子カメラにおいて、
撮影済みの画像データを記録媒体から読出し、当該画像データによる再生画像を表示手段に表示させる再生動作モードをさらに有し、
少なくとも前記３つの動作モードを前記１つのモード切替え操作部材の操作位置に応じて切替えることを特徴とするプロジェクタ付き電子カメラ。
【請求項３】
請求項２に記載のプロジェクタ付き電子カメラにおいて、
前記１つのモード切替え操作部材は、前記投影動作モードおよび前記再生動作モードのそれぞれに対応する操作位置が隣接していることを特徴とするプロジェクタ付き電子カメラ。
【請求項４】
請求項１に記載のプロジェクタ付き電子カメラにおいて、
前記１つのモード切替え操作部材は、撮影レンズと前記投影手段による投影光を射出するプロジェクタ投射口とを保護する保護部材によって構成され、
前記保護部材が前記プロジェクタ投射口の保護を解除する位置へ操作された場合に前記投影動作モードにし、
前記保護部材が前記撮影レンズの保護を解除する位置へ操作された場合に前記撮影動作モードにすることを特徴とするプロジェクタ付き電子カメラ。
【請求項５】
被写体像を撮影し、撮影した画像データを記録媒体に保存する撮影動作モードと、
撮影済みの画像データを記録媒体から読出し、当該画像データによる再生画像を投影手段に投影させる、もしくは前記再生画像を表示手段に表示させる再生動作モードとを有し、
前記再生動作モードに切替えられた状態で、前記表示手段による表示をオン／オフするための操作部材からの操作信号に応じて、前記投影手段による投影のオン／オフ、および前記表示手段による表示のオン／オフを切替えることを特徴とするプロジェクタ付き電子カメラ。
【発明の詳細な説明】
【技術分野】
【０００１】
本発明は、画像などの情報を投影するプロジェクタ装置を備える電子カメラに関する。
【背景技術】
【０００２】
プロジェクタ機能を搭載した電子カメラが知られている（特許文献１）。特許文献１によれば、プロジェクションモードスイッチやビデオ再生ボタンの操作によってプロジェクタ装置の作動が開始される。
【０００３】
【特許文献１】特開平８−１４６５１２号公報
【発明の開示】
【発明が解決しようとする課題】
【０００４】
電子カメラにプロジェクタ装置を作動させるためのスイッチを新たに追加すると、操作部材の増加にともなって操作が煩雑になったり、誤操作の要因となったりして使いにくい。
【課題を解決するための手段】
【０００５】
本発明によるプロジェクタ付き電子カメラは、被写体像を撮影し、撮影した画像データを記録媒体に保存する撮影動作モードと、撮影済みの画像データを記録媒体から読出し、当該画像データによる再生画像を投影手段に投影させる投影動作モードとを有し、少なくとも２つの動作モードを１つのモード切替え操作部材の操作位置に応じて切替えることを特徴とする。
請求項１に記載のプロジェクタ付き電子カメラはさらに、撮影済みの画像データを記録媒体から読出し、当該画像データによる再生画像を表示手段に表示させる再生動作モードを有してもよく、この場合に少なくとも３つの動作モードを１つのモード切替え操作部材の操作位置に応じて切替えるように構成してもよい。
請求項２に記載のプロジェクタ付き電子カメラにおいて、１つのモード切替え操作部材は、投影動作モードおよび再生動作モードのそれぞれに対応する操作位置が隣接するように構成するとよい。
請求項１に記載のプロジェクタ付き電子カメラにおいて、１つのモード切替え操作部材は、撮影レンズと投影手段による投影光を射出するプロジェクタ投射口とを保護する保護部材によって構成してもよく、この場合には、保護部材がプロジェクタ投射口の保護を解除する位置へ操作された場合に投影動作モードにし、保護部材が撮影レンズの保護を解除する位置へ操作された場合に撮影動作モードにするとよい。
本発明によるプロジェクタ付き電子カメラは、被写体像を撮影し、撮影した画像データを記録媒体に保存する撮影動作モードと、撮影済みの画像データを記録媒体から読出し、当該画像データによる再生画像を投影手段に投影させる、もしくは再生画像を表示手段に表示させる再生動作モードとを有し、再生動作モードに切替えられた状態で、表示手段による表示をオン／オフするための操作部材からの操作信号に応じて、投影手段による投影のオン／オフ、および表示手段による表示のオン／オフを切替えることを特徴とする。
【発明の効果】
【０００６】
本発明によるプロジェクタ付き電子カメラでは、撮影動作モードおよび投影動作モードの切替えを１つの操作部材の操作で行えるように構成したり、再生動作モードに切替えられた状態における投影手段による投影のオン／オフを、表示手段による表示をオン／オフさせるための操作部材の操作で切替えられるように構成したので、電子カメラに新たな操作部材を付加することなく、投影に関する切替え操作を簡単に行える。
【発明を実施するための最良の形態】
【０００７】
以下、図面を参照して本発明を実施するための最良の形態について説明する。
（第一の実施形態）
図１は、本発明の第一の実施形態によるプロジェクタ付き電子カメラを前方側から見た斜視図である。図１において、プロジェクタ付き電子カメラ１０の正面には、撮影レンズ１１と、照明光窓１２と、プロジェクタ投射窓１３とが設けられている。プロジェクタ付き電子カメラ１０の上面には、レリーズボタン１４と、モード切替ダイヤル１５と、メインスイッチ１６とが設けられている。
【０００８】
図２は、図１のプロジェクタ付き電子カメラを後方側から見た斜視図である。図２において、プロジェクタ付き電子カメラ１０の背面には、液晶表示器１７と、電子ビューファインダー１８と、操作部材１９と、スピーカ孔２０とが設けられている。モード切替ダイヤル１５の傍らには指標２２が設けられている。
【０００９】
プロジェクタ付き電子カメラ１０は、光学像を投影するプロジェクタ装置を搭載しており、プロジェクタ付き電子カメラ１０の正面側に配設されるスクリーンなどに向けて、画像などの情報をプロジェクタ投射窓１３から投影する。プロジェクタ付き電子カメラ１０は、スピーカ孔２０の裏側にスピーカ２１を内蔵しており、音声などの情報を電子カメラ１０の後方へ向けて再生する。
【００１０】
一般に、電子カメラには撮影モードと再生モードとを切替えるモード切替え操作部材が設けられている。撮影モードは、被写体像を撮影し、撮影した画像データを記録媒体などに保存する動作モードである。撮影モードでは、スピーカ孔２０の裏側にスピーカ２１とともに内蔵されるマイク（不図示）により集音した音声のデータを、記録媒体などに保存することも可能に構成されている。再生モードは、撮影済みの画像データを記録媒体などから読出し、当該画像データによる再生画像を液晶表示器１７に表示する動作モードである。
【００１１】
第一の実施形態では、プロジェクタ付き電子カメラ１０に画像情報をプロジェクタ投射窓１３から投影させる投影モードへの切替え操作を、上記モード切替え操作部材を兼用して行う。本実施形態では、モード切替ダイヤル１５がモード切替操作部材に対応する。
【００１２】
図３は、モード切替ダイヤル１５の拡大図である。モード切替ダイヤル１５には、シーンモードを示す文字１５１と、動画撮影モードを示すマーク１５２と、静止画撮影モードを示すマーク１５３と、再生モードを示すマーク１５４と、投影モードを示すマーク１５５と、セットアップモードを示すマーク１５６とが記されている。
【００１３】
モード切替ダイヤル１５には、上記各マーク１５１〜１５６のいずれかのマークが指標２２と並ぶ位置に停止するように不図示のクリック機構が設けられている。プロジェクタ付き電子カメラ１０は、メインスイッチ１６がオン操作されている状態でモード切替ダイヤル１５が回転操作されると、回転操作後に指標２２と並んで位置するモード切替ダイヤル１５上のマークに対応する動作モードに切替えるように構成されている。このうち、シーンモード、動画撮影モードおよび静止画撮影モードは撮影系の動作モードであり、再生モードおよび投影モードは再生系の動作モードである。上述したスピーカ２１からの音声再生は、再生系の動作モードにおいて作動する。
【００１４】
シーンモードは、風景撮影や夜景撮影、逆光撮影などの撮影シーンに応じて、露出やピント、フラッシュ光などを自動制御して撮影する動作モードである。撮影指示はレリーズボタン１４の押下操作によって行われる。動画撮影モードは、レリーズボタン１４が押下操作されると動画撮影を行う動作モードである。静止画撮影モードは、レリーズボタン１４が押下操作されると静止画撮影を行う動作モードである。動画撮影モードおよび静止画撮影モードにおける露出やピント、フラッシュ光などの撮影条件は、あらかじめ操作部材１９による設定操作で設定されている内容に基づいて制御される。
【００１５】
再生モードは、撮影済みの画像データを記録媒体（不図示）から読出し、当該画像データによる再生画像を液晶表示器１７に表示する動作モードである。投影モードは、撮影済みの画像データを記録媒体（不図示）から読出し、当該画像データによる再生画像をプロジェクタ投射窓１３から投影する動作モードである。セットアップモードは、プロジェクタ付き電子カメラ１０に対する各種機能設定を行うための動作モードである。
【００１６】
なお、プロジェクタ付き電子カメラ１０は、モード切替ダイヤル１５のマーク１５５が指標２２と並ぶ位置に停止した場合、所定時間（たとえば０．５秒）ウェイトをおいてから動作モードを投影モードに切替えるように構成される。これにより、使用者がセットアップモード（マーク１５６）に切替え操作する過程において、モード切替ダイヤル１５のマーク１５５（投影モード）が一時的に指標２２と並んだとしても、ただちにプロジェクタ投射窓１３から投射像を投影してしまうことが回避される。
【００１７】
以上説明した第一の実施形態によれば、次の作用効果が得られる。
（１）モード切替ダイヤル１５に投影モードへの切替え位置（マーク１５５）を含め、再生画像をプロジェクタ投射窓１３からスクリーンなどに向けて投影する投影モードへの切替え、再生画像を液晶表示器１７に表示する再生モードへの切替え、および他の撮影モードなどへの切替えをモード切替ダイヤル１５の回転操作のみで簡単に行えるようにした。電子カメラにプロジェクタ装置を搭載させるにあたり、投影モードをオンさせるためのスイッチを新たに追加しなくてよいので、スイッチ増加にともなって操作が煩雑になったり、コスト上昇を招くこともない。
【００１８】
（２）モード切替ダイヤル１５に記すマークは、撮影系（マーク１５１〜マーク１５３）と再生系（マーク１５４およびマーク１５５）とに分類したので、使用者にとってわかりやすく、使い勝手がよくなる。とくに、再生モードと投影モードとを隣接させて配置したことで、再生画像をスクリーンなどへ投影するか、液晶表示器１７へ表示するかの切替えを容易に行うことができる。
【００１９】
（変形例）
モード切替ダイヤル１５に代えて、図４に示すスライド操作部材によって動作モードを切替える構成にしてもよい。図４において、スライド操作部材１６１は、操作レバー１６１ａがガイド１６１ｂに沿って図４の左右方向に移動可能に構成されている。ガイド１６１ｂの傍らには、上述した各動作モードに対応するマーク１５１〜１５６および指標（黒丸）が設けられている。スライド操作部材１６１は、各マークに対応する指標と並ぶ位置に操作レバー１６１ａが停止するように不図示のクリック機構が設けられる。プロジェクタ付き電子カメラ１０は、メインスイッチ１６がオン操作されている状態で操作レバー１６１ａがスライド操作されると、操作後に操作レバー１６１ａが位置するマークに対応する動作モードに切替える。
【００２０】
（第二の実施形態）
第二の実施形態では、モード切替ダイヤル１５に記される再生系の動作モードのマークがマーク１５４のみとなり、マーク１５５が省略される。プロジェクタ付き電子カメラ１０は、メインスイッチ１６がオン操作されている状態でモード切替ダイヤル１５が回転操作され、回転操作後にマーク１５４が指標２２と並ぶ位置に停止すると、動作モードを再生モードに切替える。
【００２１】
一般に、電子カメラには液晶表示器１７による表示のオン／オフを切替える表示切替え操作部材が設けられている。第二の実施形態では、プロジェクタ付き電子カメラ１０に画像情報を投影させる投影モードへの切替え操作を、上記表示切替え操作部材を兼用して行う。本実施形態では、再生切替えボタン１９Ａが表示切替え操作部材に対応する。
【００２２】
プロジェクタ付き電子カメラ１０は、再生モードに切替えると、初期状態として再生画像を液晶表示器１７に表示する（内蔵プロジェクタ装置による投影はオフ）。プロジェクタ付き電子カメラ１０は、再生切替えボタン１９Ａが押下操作されると、内蔵プロジェクタ装置によって再生画像をプロジェクタ投射窓１３から投影するとともに、液晶表示器１７の表示をオフさせる。プロジェクタ付き電子カメラ１０は、再度再生切替えボタン１９Ａが押下操作されると、内蔵プロジェクタ装置によるプロジェクタ投射窓１３からの投影をオフする（液晶表示器１７の表示オフは継続）。この状態では、画像再生を行わずに音声再生のみを行う。プロジェクタ付き電子カメラ１０に撮影レンズ１１を介して撮影された画像の映像信号を出力する出力端子を設け、ケーブルを介して外部モニタに出力する構成としてもよい。この構成においては、ケーブルが出力端子に接続されていることが検出されると、出力端子から映像信号が出力される。この場合には、上記のような液晶表示器１７の表示がオフで、内蔵プロジェクタによる投影表示がオフの場合であっても、外部モニタで画像再生を行うと共に、音声再生を行うことができる。
【００２３】
プロジェクタ付き電子カメラ１０は、さらに再生切替えボタン１９Ａが押下操作されると、再生画像を再び液晶表示器１７に表示する（内蔵プロジェクタ装置による投影オフは継続）。このように、再生切替えボタン１９Ａの押下操作に応じて、液晶表示器１７に再生画像を表示→内蔵プロジェクタ装置により再生画像を投影→液晶表示器１７および内蔵プロジェクタ装置ともにオフ→液晶表示器１７に再生画像を表示→…がサイクリックに切替わる。
【００２４】
以上説明した第二の実施形態によれば、次の作用効果が得られる。
（１）再生モードの中に、液晶表示器１７へ表示するモードおよび内蔵プロジェクタ装置により投影するモードを含め、液晶表示器１７による表示および内蔵プロジェクタ装置による投影の切替えを再生切替えボタン１９Ａの押下操作のみで簡単に行えるようにした。電子カメラにプロジェクタ装置を搭載させるにあたり、投影モードをオンさせるためのスイッチを新たに追加しなくてよいので、スイッチ増加にともなって操作が煩雑になったり、コスト上昇を招くこともない。
【００２５】
（２）液晶表示器１７へ表示するモードおよび内蔵プロジェクタ装置により投影するモードを再生モードとしてまとめたので、使用者にとってわかりやすく、使い勝手がよくなる。とくに、再生画像をスクリーンなどへ投影するか、液晶表示器１７へ表示するかの切替えを容易に行うことができる。
【００２６】
（変形例）
再生切替えボタン１９Ａの押下操作に応じてサイクリックに行う表示切替えを次のように行ってもよい。液晶表示器１７に再生画像および撮影情報等を表示→液晶表示器１７に再生画像のみ表示→内蔵プロジェクタ装置により再生画像および撮影情報等を投影→内蔵プロジェクタ装置により再生画像のみ投影→液晶表示器１７および内蔵プロジェクタ装置ともにオフ→液晶表示器１７に再生画像および撮影情報等を表示→…をサイクリックに切替える。撮影情報等は、画像を撮影した日時情報、画像データが記録されているファイル名（番号）を示す情報である。
【００２７】
（第三の実施形態）
図５〜図７は、本発明の第三の実施形態によるプロジェクタ付き電子カメラを前方側から見た斜視図である。図５において、プロジェクタ付き電子カメラ５０の正面には、可動バリア５１が設けられている。可動バリア５１は、プロジェクタ付き電子カメラ５０の非使用状態において、図５に示す閉位置に操作される。
【００２８】
可動バリア５１は、プロジェクタ付き電子カメラ５０のメインスイッチおよびモード切替え操作部材を兼ねている。プロジェクタ付き電子カメラ５０は、可動バリア５１が図６に示す半開位置へスライド操作されると、電源オン処理を行って（起動して）動作モードを投影モードにする。可動バリア５１が半開位置へ移動することにより、少なくともプロジェクタ投射窓１３が露出するように構成されている。プロジェクタ付き電子カメラ５０は、露出されたプロジェクタ投射窓１３から再生画像を投影する。なお、図６の例では可動バリア５１が半開位置にされた状態において光学ファインダー対物窓５２が露出されているが、この時点において光学ファインダー対物窓５２の露出は必ずしも必要でない。
【００２９】
プロジェクタ付き電子カメラ５０は、可動バリア５１が図７に示す全開位置へスライド操作されると、動作モードを投影モードから撮影モードに切替える。可動バリア５１が全開位置へ移動することにより、撮影レンズ１１が露出するように構成されている。プロジェクタ付き電子カメラ５０は、内蔵プロジェクタ装置による投影をオフするとともに、不図示の沈胴機構によって沈胴されている撮影レンズ１１を繰り出させる。プロジェクタ付き電子カメラ５０は、撮影モードにおいてレリーズボタン１４が押下操作されると撮影を行う。
【００３０】
プロジェクタ付き電子カメラ５０は、可動バリア５１が半開位置へ向けてスライド操作されると、マイクロスイッチ（不図示）でこれを検知して沈胴機構（不図示）により撮影レンズ１１を沈胴させる。撮影レンズ１１の沈胴後、可動バリア５１が図６に示す半開位置へさらにスライド操作されると、プロジェクタ付き電子カメラ５０は、動作モードを撮影モードから投影モードに切替え、露出されているプロジェクタ投射窓１３から再生画像を投影する。
【００３１】
プロジェクタ付き電子カメラ５０は、可動バリア５１が図５に示す閉位置へさらにスライド操作されると、プロジェクタ投射窓１３からの投影をオフするとともに、電源オフ処理を行って動作を終了する。
【００３２】
なお、プロジェクタ付き電子カメラ５０は、可動バリア５１が半開位置で停止した場合、所定時間（たとえば１秒）ウェイトをおいてから動作モードを投影モードにするように構成される。これにより、使用者が可動バリアをスライド操作する過程において、可動バリア５１が一時的に半開位置を通過したとしても、ただちにプロジェクタ投射窓１３から投射像を投影してしまうことが回避される。
【００３３】
以上説明した第三の実施形態によれば、次の作用効果が得られる。
（１）撮影レンズ１１およびプロジェクタ投射窓１３を保護するスライド式の可動バリア５１でメインスイッチおよびモード切替え操作部材を兼用した。電子カメラにプロジェクタ装置を搭載させるにあたり、投影モードをオンさせるためのスイッチを新たに追加しなくてよいので、スイッチ増加にともなって操作が煩雑になったり、コスト上昇を招くこともない。
【００３４】
（２）可動バリア５１が半開位置へ移動するとプロジェクタ投射窓１３が露出し、投影モードに切替えるようにしたので、実際の動作モード（投影モード）とプロジェクタ付き電子カメラ５０に対する操作状態（プロジェクタ投射窓１３が露出）との関係がわかりやすく、使い勝手がよい。
【００３５】
（３）可動バリア５１が全開位置へ移動すると撮影レンズ１１が露出し、撮影モードに切替えるようにしたので、実際の動作モード（撮影モード）とプロジェクタ付き電子カメラ５０に対する操作状態（撮影レンズ１１が露出）との関係がわかりやすく、使い勝手がよい。
【００３６】
特許請求の範囲における各構成要素と、発明を実施するための最良の形態における各構成要素との対応について説明する。投影手段は、たとえば、プロジェクタ付き電子カメラ１０（５０）に内蔵されるプロジェクタ装置によって構成される。表示手段は、たとえば、液晶表示器１７によって構成される。モード切替え操作部材は、たとえば、モード切替ダイヤル１５によって構成される。プロジェクタ投射口は、たとえば、プロジェクタ投射窓１３が対応する。保護部材は、たとえば、可動バリア５１によって構成される。プロジェクタ投射口の保護を解除する位置は、たとえば、半開位置が対応する。撮影レンズの保護を解除する位置は、たとえば、全開位置が対応する。なお、以上の説明はあくまで一例であり、発明を解釈する上で、上記の実施形態の構成要素と本発明の構成要素との対応関係に何ら限定されるものではない。
【図面の簡単な説明】
【００３７】
【図１】本発明の第一の実施形態によるプロジェクタ付き電子カメラを前方側から見た斜視図である。
【図２】図１のプロジェクタ付き電子カメラを後方側から見た斜視図である。
【図３】モード切替ダイヤルの拡大図である。
【図４】スライド操作部材を例示する図である。
【図５】第三の実施形態によるプロジェクタ付き電子カメラを前方側から見た斜視図である。
【図６】第三の実施形態によるプロジェクタ付き電子カメラを前方側から見た斜視図である。
【図７】第三の実施形態によるプロジェクタ付き電子カメラを前方側から見た斜視図である。
【符号の説明】
【００３８】
１０、５０…プロジェクタ付き電子カメラ
１１…撮影レンズ
１３…プロジェクタ投射窓
１４…レリーズボタン
１５…モード切替ダイヤル
１７…液晶表示器
１９…操作部材
２２…指標
５１…可動バリア
１５１〜１５６…マーク
１６１…スライド操作部材
【図１】
2006191425.tif 000003
【図２】
2006191425.tif 000004
【図３】
2006191425.tif 000005
【図４】
2006191425.tif 000006
【図５】
2006191425.tif 000007
【図６】
2006191425.tif 000008
【図７】
2006191425.tif 000009